(57)【特許請求の範囲】
【請求項１】
盗難を防止すべき対象物に当接させる当接面に開孔部（３３）を設けてなる筐体（３）と、前記開孔部（３３）に進退自在に挿入した操作部（３６）及び該操作部（３６）を前記開孔部（３３）から突出するように付勢するバネ（４３）を設けてなり、前記操作部（３６）が前記筐体（３）内へ押込まれた場合に導通を持つようになしてある第１のスイッチ（４２）と、該第１のスイッチ（４２）の導通状態に基づき警報を発する警報体（２）とを備えた盗難防止装置において、
前記操作部（３６）及び該操作部（３６）を案内するように前記筐体（３）の内面にて前記開孔部（３３）の周囲に設けてなる案内部（３４）から構成され、前記操作部（３６）と前記案内部（３４）とが接触した場合に導通を持つようになしてある第２のスイッチ（４１）と、
該第２のスイッチ（４１）と並列に接続してある抵抗器（５０）と、
前記筐体（３）に一端が連結してあり、前記第１及び第２のスイッチ（４２），（４１）の導通状態を前記警報体（２）へ伝える導体（４）とを備え、
前記第１又は第２のスイッチ（４２），（４１）の導通状態に基づき警報を発するようになしてあることを特徴とする盗難防止装置。
【請求項２】
前記操作部（３６）及び案内部（３４）は導電性を有することを特徴とする請求項１に記載の盗難防止装置。
【請求項３】
前記抵抗器（５０）の両端電圧の有無を検出する手段（２０）を更に備え、該手段（２０）が前記両端電圧の無を検出することにより、前記導体（４）の短絡を検出すべくなしてあることを特徴とする請求項１又は請求項２に記載の盗難防止装置。
【請求項４】
警報を発する警報体（２）に設けた筒状の連結部（２７ｂ）を介して連結可能になしてあり、盗難を防止すべき対象物への取付け状態を検出する盗難防止装置用センサにおいて、
前記対象物に当接させる当接面に開孔部（３３）を設けてなる筐体（３）と、前記開孔部（３３）に進退自在に挿入した操作部（３６）及び該操作部（３６）を前記開孔部（３３）から突出するように付勢するバネ（４３）を設けてなり、前記操作部（３６）が前記筐体（３）内へ押込まれた場合に導通を持つようになしてある第１のスイッチ（４２）と、
前記操作部（３６）及び該操作部（３６）を案内するように前記筐体（３）の内面にて前記開孔部（３３）の周囲に設けてなる案内部（３４）から構成され、前記操作部（３６）と前記案内部（３４）とが接触した場合に導通をもつようになしてある第２のスイッチ（４１）と、
該第２のスイッチ（４１）と並列に接続してある抵抗器（５０）と、
前記筐体（３）に一端が連結してあり、前記第１又は第２のスイッチ（４２），（４１）の導通状態を伝える導体（４）と、
該導体の他端に設けてあり、前記連結部（２７ｂ）に内嵌する嵌合部（７ｂ）とを備えたことを特徴とする盗難防止装置用センサ。
【請求項５】
前記操作部（３６）及び前記案内部（３４）は導電性を有することを特徴とする請求項４に記載の盗難防止装置用センサ。
【請求項６】
前記抵抗器（５０）の両端電圧の有無を検出する手段（２０）を更に備え、
該手段（２０）が前記両端電圧の無を検出することにより、前記導体（４）の短絡を検出すべくなしてあることを特徴とする請求項４又は請求項５に記載の盗難防止装置用センサ。
【発明の詳細な説明】
【０００１】
【発明の属する技術分野】
本発明は、盗難を防止すべき対象物への取付け状態に基づいて警報を発する盗難防止装置、及び前記対象物への取付け状態を検知する盗難防止装置用センサに関する。
【０００２】
【従来の技術】
図１０は特開２０００−１８７７７９号公報に開示された盗難防止装置を示す斜視図であり、図１１は前記盗難防止装置の使用状態を説明する説明図である。
【０００３】
図中１は盗難を防止すべき対象物に取り付けられるセンサ、２は前記センサ１の取付け状態に基づき警報を発する盗難防止装置本体である。３は盗難を防止すべき対象物に固定するヘッド、８は１芯のコードの両端をヘッド３の一端に固定したループコード、４はヘッド３の取付け状態の信号を伝える２芯のコードの一端をヘッド３の他端に固定したカールコードであり、センサ１は、ヘッド３、ループコード８、及びカールコード４により構成されている。カールコード４の他端は固定具５を介して２本のリードコード６，６が接続されており、リードコード６，６の先端は盗難防止装置本体２を連結するピン状の連結部７，７を備えている。
【０００４】
ヘッド３の底面には開孔部３３が設けられており、該開孔部３３からプッシュスイッチ４２のレバー３６が進退可能に突出している。レバー３６はヘッド３から隔離する方向へ付勢されており、レバー３６に所要の押圧力を加えた場合、レバー３６はヘッド３の内部へ後退して、プッシュスイッチ４２が導通状態となり、前記押圧力が除かれた場合、プッシュスイッチ４２は前記開孔部３３から外へ突出して、プッシュスイッチ４２が不導通状態になる。また、ヘッド３の底面には、盗難防止すべき対象物に盗難防止装置本体２を固定すべく、両面粘着テープ３０が貼着してある。
【０００５】
盗難防止装置本体２はプッシュスイッチ４２の導通状態又は不導通状態を検出する検出回路、バッテリ及び警報を発するブザー等を内蔵している。また、盗難防止装置本体２の一端面にはリードコード６の連結部７を内嵌する２つの差込み筒部２７，２７を備えており、連結部７をロックするロック機構が配接されている。
【０００６】
このような盗難防止装置によって対象物を防止するには、図１１に示した如く、対象物Ｔの閉じた領域を囲む部分に掛け回したループコード８内をくぐらせたヘッド３を、該ヘッド３が内蔵するプッシュスイッチ４２のレバー３６を対象物Ｔに圧接し、両面粘着テープ３０により固定する。レバー３６が対象物Ｔに圧接されている場合、レバー３６はヘッド３の内部へ後退しており、プッシュスイッチ４２は閉路する。ヘッド３に接続してあるカールコード４、及びリードコード６，６は、対象物Ｔを載置してある商品棚６１の背面網部６２にくぐらせた後、連結部７，７を盗難防止装置２に備えられている差込み筒部２７，２７に内嵌してロックする。
【０００７】
ループコード８、カールコード４、又はリードコード６が切断された場合、若しくはリードコード６の連結部７が盗難防止装置本体２から引き抜かれた場合、盗難防止装置本体２の内部に設けてある検出回路がセンサ１と盗難防止装置本体２との間に導通がないことを検出して警報を発し、対象物Ｔの盗難を防止する。また、ヘッド３が対象物Ｔから取り外された場合、レバー３６がヘッド３の外へ突出して、プッシュスイッチ４２が不導通状態であることを検出回路が検出して警報を発し、対象物Ｔの盗難を防止する。
【０００８】
【発明が解決しようとする課題】
しかしながら、特開２０００−１８７７７９号公報に開示された盗難防止装置では、レバー３６がヘッド３内へ後退している場合、プッシュスイッチ４２は導通状態であり、警報が発せられることはないため、対象物Ｔとレバー３６との間に薄刃を挿入させ、レバー３６をヘッド３の内部へ押さえつけたまま、ヘッド３を対象物Ｔから取り外すことが比較的容易に行い得るので、盗難防止の信頼性が低いという問題があった。
【０００９】
また、２本のリードコード６，６の被覆を夫々１箇所取り除いて短絡させた後、短絡させた箇所からヘッド３に近い部位にてリードコード６，６を切断することによって、プッシュスイッチの導通状態又は不導通状態の如何に関わらず、警報が発せられることはなく、ヘッド３を対象物Ｔに固定したまま対象物Ｔを商品棚６１から持ち出すことができるため、盗難防止の信頼性が低いという問題があった。
【００１０】
本発明は斯かる事情に鑑みてなされたものであり、盗難を防止すべき対象物に当接させる当接面に開孔部を設けてなる筐体と、前記開孔部に進退自在に挿入した操作部及び該操作部を前記開孔部から突出するように付勢するバネを設けてなる第１のスイッチに加え、前記操作部及び該操作部を案内するように前記筐体の内面にて前記開孔部の周囲に設けてなる案内部から構成される第２のスイッチを備え、前記第１又は第２のスイッチの導通状態に基づき警報を発するようにすることにより、盗難防止の信頼性が高い盗難防止装置及び盗難防止装置用センサを提供することを目的とする。
【００１１】
本発明の他の目的は、第２のスイッチと並列に接続した抵抗器を備えることにより、盗難防止の信頼性が高い盗難防止装置及び盗難防止装置用センサを提供することにある。
【００１２】
本発明の更に他の目的は、前記抵抗器の両端電圧の有無を検出する手段を更に備え、該手段が前記両端電圧の無を検出して、第１、第２の導通状態を伝える導体の短絡を検出するようにしてあることにより、盗難防止の信頼性が高い盗難防止装置及び盗難防止装置用センサを提供することにある。
【００１３】
【課題を解決するための手段】
第１発明に係る盗難防止装置は、盗難を防止すべき対象物に当接させる当接面に開孔部を設けてなる筐体と、前記開孔部に進退自在に挿入した操作部及び該操作部を前記開孔部から突出するように付勢するバネを設けてなり、前記操作部が前記筐体内へ押込まれた場合に導通を持つようになしてある第１のスイッチと、該第１のスイッチの導通状態に基づき警報を発する警報体とを備えた盗難防止装置において、前記操作部及び該操作部を案内するように前記筐体の内面にて前記開孔部の周囲に設けてなる案内部から構成され、前記操作部と前記案内部とが接触した場合に導通を持つようになしてある第２のスイッチと、該第２のスイッチと並列に接続してある抵抗器と、前記筐体に一端が連結してあり、前記第１及び第２のスイッチの導通状態を前記警報体へ伝える導体とを備え、前記第１又は第２のスイッチの導通状態に基づき警報を発するようになしてあることを特徴とする。
【００１４】
第２発明に係る盗難防止装置は、前記操作部及び案内部は導電性を有することを特徴とする。
【００１６】
第３発明に係る盗難防止装置は、前記抵抗器の両端電圧の有無を検出する手段を更に備え、該手段が前記両端電圧の無を検出することにより、前記導体の短絡を検出すべくなしてあることを特徴とする。
【００１７】
第４発明に係る盗難防止センサは、警報を発する警報体に設けた筒状の連結部を介して連結可能になしてあり、盗難を防止すべき対象物への取付け状態を検出する盗難防止装置用センサにおいて、前記対象物に当接させる当接面に開孔部を設けてなる筐体と、前記開孔部に進退自在に挿入した操作部及び該操作部を前記開孔部から突出するように付勢するバネを設けてなり、前記操作部が前記筐体内へ押込まれた場合に導通を持つようになしてある第１のスイッチと、前記操作部及び該操作部を案内するように前記筐体の内面にて前記開孔部の周囲に設けてなる案内部から構成され、前記操作部と前記案内部とが接触した場合に導通をもつようになしてある第２のスイッチと、該第２のスイッチと並列に接続してある抵抗器と、前記筐体に一端が連結してあり、前記第１又は第２のスイッチの導通状態を伝える導体と、該導体の他端に設けてあり、前記連結部に内嵌する嵌合部とを備えたことを特徴とする。
【００１８】
第５発明に係る盗難防止装置用センサは、前記操作部及び前記案内部は導電性を有することを特徴とする。
【００２０】
第６発明に係る盗難防止装置用センサは、前記抵抗器の両端電圧の有無を検出する手段を更に備え、該手段が前記両端電圧の無を検出することにより、前記導体の短絡を検出すべくなしてあることを特徴とする。
【００２１】
第１発明及び第４発明にあっては、筐体の開口部から突出するように付勢する操作部を設けてなる第１のスイッチに加え、操作部と開口部の周囲に設けた案内部とから構成される第２のスイッチを備え、前記第１又は第２のスイッチの導通状態に基づき警報を発するようになしてあるため、例えば両面粘着テープにより盗難を防止すべき対象物に前記筐体を当接させて設置した後、筐体を対象物から引きはがした場合、第１のスイッチが導通状態になって警報を発し、また、筐体と対象物との間に薄刃を差込んで前記操作部に押圧力を加えた場合、第２のスイッチが導通状態になり、警報を発して、盗難防止の効果を高めることができる。
また、筐体と警報体との導通路に第２のスイッチと並列に接続された抵抗器を設けているため、操作部と案内部とが接触して第２のスイッチが導通を持った場合、前記抵抗器を介さない導通路が確保され、警報体に設けられた連結部の入力電圧値は高くなり、該入力電圧値に応じて警報を発することによって、盗難防止の効果を高めることができる。また、筐体と警報体との間に介在する導線を短絡させた場合も、前記抵抗器を介さない導通路が確保されるため、警報体に設けられた連結部の入力電圧値は高くなり、該入力電圧値に応じて警報を発することによって、盗難防止の効果を高めることができる。
【００２２】
第２発明及び第５発明にあっては、操作部と案内部とが導電性を有するため、例えば両面粘着テープにより盗難を防止すべき対象物に前記筐体を当接させて設置している場合、筐体と対象物との間に薄刃を差込んだ際、操作部と案内部とが接触することによって第２のスイッチが導通状態になり、警報を発する。その結果、盗難防止の効果を高めることができる。
【００２４】
第３発明及び第６発明にあっては、前記抵抗器の両端電圧の有無を検出する手段を更に備え、該手段が前記両端電圧の無を検出することにより、第１、第２のスイッチの導通状態を伝える導体の短絡を検出するようにしてあるため、前記導体が短絡した場合、前記抵抗器を介さない導通路が確保され、警報体に設けられた連結部の入力電圧値は高くなり、該入力電圧値に応じて警報を発することによって、盗難防止の効果を高めることができる。また、筐体と警報体との間に介在する導線を短絡させた場合も、前記抵抗器を介さない導通路が確保されるため、警報体に設けられた連結部の入力電圧値は高くなり、該入力電圧値に応じて警報を発することによって、盗難防止の効果を高めることができる。
【００２５】
【発明の実施の形態】
以下、本発明の実施の形態を図面に基づいて具体的に説明する。
図１は本発明に係る盗難防止装置を示す斜視図であり、図中、１は盗難を防止すべき対象物に取り付けられる本発明のセンサ、２は該センサ１の取付け状態に基づき警報を発する盗難防止装置本体である。また、図２は図１に示した盗難防止装置本体２の斜視図であり、図３は図１に示したセンサ１の斜視図である。
【００２６】
図中２０は、センサ１の導通状態を検知するセンサアダプタ、２１はセンサアダプタ２０にて検知した導通状態に基づき警報を発する警報体であり、盗難防止装置本体２はセンサアダプタ２０と警報体２１とから構成され、センサアダプタ２０の正面と警報体２１の背面とは接着剤、両面粘着テープ等により固定されている。
【００２７】
直方体形状のセンサアダプタ２０の一端面には、２つの差込み筒部２７ａ，２７ａの端部が適宜間隔をおいて突出させてあり、両差込み筒部２７ａ，２７ａの内部には、センサ１に設けてある２つのロックピンアセンブリ７ａ，７ａをロックする機構が配設してある。ロックピンアセンブリ７ａ，７ａは、導電性ピン状部材の基端部を絶縁体で覆っており、ロックピンアセンブリ７ａ，７ａの先端近傍には、溝１７ａが周設してある。
【００２８】
センサアダプタ２０の側面には、センサアダプタ２０の長手方向へ長い長方形状のノブ穴２２ａが開設してある。該ノブ穴２２ａ内には、一方の差込み筒部２７ａに差込まれたロックピンアセンブリ７ａのロックを解除する解除スライダのノブ２３ａが摺動自在に内嵌してあり、ノブ２３ａに押力を加えて解除スライダをセンサアダプタ２０の前記一端側へ摺動させることによって当該ロックを解除する。また、センサアダプタ２０の他側面には、他方の差込み筒部２７ａに差込まれたロックピンアセンブリ７ａのロックを解除するための解除孔が開設してあり、該解除孔にピンを挿入することによって当該ロックを解除する。
また、ノブ穴２２ａの下部からＳＵＳ３０４等のステンレス鋼製の信号線をポリプロピレン材で被覆したリードコード６ｂ，６ｂが延設してあり、リードコード６ｂ，６ｂの先端には前述と同様のロックピンアセンブリ７ｂ，７ｂを設けている。
【００２９】
前述のロック機構は、例えば、差込み筒部２７ａ，２７ａに臨ませて揺動自在に夫々配接したＪ字状のロックバネに、ロックピンアセンブリ７ａ，７ａの溝１７ａ，１７ａに係合する係合部が夫々突設してある。各ロックピンアセンブリ７ａ，７ａを差込み筒部２７ａ，２７ａに差込んだ場合、ロックピンアセンブリ７ａ，７ａの先端部の周面にロックバネの係合部が当接し、更に、ロックピンアセンブリ７ａ，７ａを差込み筒部２７ａ，２７ａに差込んで、両ロックバネが撓み、溝１７ａ，１７ａと両ロックバネの係合部とが一致した場合、ロックバネが復帰して、両係合部が対応する溝１７ａ，１７ａに係合してロックピンアセンブリ７ａ，７ａをロックする。また、差込み筒部２７ａ，２７ａ内には、ロックピンアセンブリ７ａ，７ａの先端部と電気的に接続可能になした接点が夫々設けてあり、前述した如く、差込み筒部２７ａ，２７ａ内にロックピンアセンブリ７ａ，７ａがロックされた場合、各接点とロックピンアセンブリ７ａ，７ａとは導通している。
【００３０】
センサアダプタ２０の内部には、ボタン電池、及び両差込み筒部２７ａ，２７ａ内に設けられた接点間の電圧が所定の電圧近傍である場合はローレベルの信号を、所定の電圧近傍にない場合はハイレベルの信号をロックピンアセンブリ７ｂ，７ｂ間に出力する検出回路を備えている。
【００３１】
警報体２１は、センサアダプタ２０と同じ大きさの直方体形状であり、センサアダプタ２０と同様に、一端面には差込み筒部２７ｂ，２７ｂが設けてあり、差込み筒部２７ｂ，２７ｂの内部には前述と同様のロックピンアセンブリ７ｂ，７ｂをロックする機構が配設してある。また、警報体の一側面にはノブ穴２２ｂ及びノブ２３ｂが設けてあり、ノブ２３ｂに押力を加えて警報体２１の一端側へ摺動させることによって、一方の差込み筒部２７ｂに差込まれたロックピンアセンブリ７ｂのロックを解除する。警報体２１の他側面には、他方の差込み筒部２７ｂに差込まれたロックピンアセンブリ７ｂのロックを解除するための解除孔が開設してあり、該解除孔にピンを挿入することによって当該ロックを解除する。
【００３２】
警報体２１は、警報を発するブザーを内蔵しており、警報体２１の正面の他端近傍には警報を放出するための窓２４が設けてある。また、警報体２１は、ボタン電池、及び差込み筒部２７ｂ，２７ｂに入力される信号がハイレベルの信号である場合に前記ブザーを作動させる制御回路等を内蔵している。
【００３３】
センサ１のロックピンアセンブリ７ａ，７ａには、ＳＵＳ３０４等のステンレス鋼製の信号線をポリプロピレン材で被覆したリードコード６ａ，６ａが連結してあり、両リードコード６ａ，６ａは固定具５を介してカールコード４に接続してある。カールコード４は、ＳＵＳ３０４等のステンレス鋼製の２本の信号線をポリプロピレン材で被覆した２芯のコードの中間部分を、棒材に螺旋状に巻き付けて加熱するスプリング処理を施してなり、矩形のヘッド３の一側面に連結してある。
【００３４】
ヘッド３の底面には両面粘着テープ３０が貼着してあり、その中央には該両面粘着テープ３０及びヘッド３の底面を貫通する開孔部３３を開設してある。ヘッド３内には、後述するプッシュスイッチ４２が設けてあり、該プッシュスイッチ４２のレバー３６の一部が前記開孔部３３から進退自在に突出させてある。また、ヘッド３の他側面から、ＳＵＳ３０４等のステンレス鋼製の導線をエラストマで被覆してなるループコード８が延設してある。
【００３５】
図４及び図５は、図１に示したヘッド３の側断面図である。３１はドーム状の第１部材、３２は第１部材３１の底部開口を閉塞する平板状の第２部材であり、第１部材３１及び第２部材３２により、ヘッド３が構成されている。第２部材３２の略中央には、前述した開孔部３３が開設してある。第２部材３２の内面であって、開孔部３３の周囲には円筒状の案内部３４が、開孔部３３と同心円上に立設してあり、前記案内部３４の内壁及び開孔部３３の壁面に配設したガード電極３５が後述するプリント基板４０と共に案内部の端面に設けられたネジ穴を利用してネジ止めされている。
【００３６】
ガード電極３５は、案内部３４の内径と同じ直径をもつ円盤状部材の中央に開孔部３３の直径より少し小さな穴が設けられ、該穴の周囲に底無円筒状部材が立設されてなり、更に円盤状部材の外縁部の一部に突出部材が前記底無円筒状部材と異なる方向に形成されており、突出部材の端部は直角に折曲げられている。折曲げられた突出部材の中央には前述のネジ穴より大きな穴が開設されている。
【００３７】
また、案内部３４内にて、コイルスプリング４３の一端がプリント基板４０に接続され、コイルスプリング４３の他端はレバー３６が接続され、該レバー３６はガード電極３５と接触しないように開孔部３３に遊嵌してある。ヘッド３を対象物Ｔに当接させる面にて開孔部３３の周囲に、レバー３６の当接部３８の直径よりも少し大きな直径を持つ穴が開けられた円形の紙片３９が貼着してあり、ヘッド３を対象物Ｔへ取付ける場合に、レバー３６とガード電極３５とが接触することを防止する。
【００３８】
レバー３６は、開孔部３３の直径より大きい直径である円盤状の支持部３７の中央に、開孔部３３の直径より小さい直径を有する円柱状の当接部３８が突設してあり、該当接部３８の端部は、先端に向かうにつれて漸次直径を大きくしてある。そして、レバー３６は、当接部３８を開孔部３３から外へ突出させてある。
【００３９】
レバー３６、ガード電極３５及びプリント基板４０によりレバースイッチ４１が構成され、また、レバー３６、コイルスプリング４３及びプリント基板４０によってプッシュスイッチ４２が構成されている。
【００４０】
コイルスプリング４３は、大径スプリング部４４内に該大径スプリング部４４より短い小径スプリング部４５を同心円状に配してなり、大径スプリング部４４及び小径スプリング部４５は共通した一本の導線で形成してある。コイルスプリング４３は、大径スプリング部４４の弾性力によって、レバー３６を第２部材３２側へ付勢しており、図４に示した如く、当接部３８が開孔部３３から所定長以上突出している場合、小径スプリング部４５はプリント基板４０から離隔している。
【００４１】
また、図５に示した如く、当接部３８及びヘッド３の第２部材３２を対象物Ｔに当接させた場合、小径スプリング部４５はプリント基板４０に当接している。この場合、当接部３８の端部は、先端に向かうにつれて漸次直径を大きくしてあるため、当接部３８と対象物Ｔとの間に薄刃を挿入させることが困難になる。
【００４２】
第１部材３１の一側面には、カールコード４を挿入させる第１孔が開設してあり、前記一側面に対向する他側面には、ループコード８を挿入させる第２孔が開設してある。カールコード４内の２本の信号線４ａ，４ａ及びループコード８内の導線８ａの両端は夫々半田によってプリント基板４０の電極に固定してある。
【００４３】
図６はカールコード４及びループコード８のプリント基板４０への接続状態を説明する説明図である。略長方形のプリント基板４０の３隅には第１電極５１、第２電極５２、第３電極５３が夫々設けてあり、第２電極５２と第３電極５３との間には、第４電極５４が設けてあり、第３電極５３と第４電極５４とは電気的に接続してある。また、プリント基板４０の中央には、前述したコイルスプリング４３の大径スプリング部４４の直径より小さい直径の第５電極５５が設けてある。第１電極５１と第５電極５５とは、プリント基板４０の背面にて略１ＭΩの抵抗器５０を介して電気的に接続してある。第１電極５１には、ループコード８の導線８ａの一端が半田にて固定してあり、第２電極５２には、カールコード４内の一方の信号線４ａが半田にて固定してある。
【００４４】
第２電極５２はコイルスプリング４３の大径スプリング部４４に対向する部分に延設してあり、大径スプリング部４４は第２電極５２に当接させてある。また、第３電極５３には、ループコード８の導線８ａの他端及びカールコード４内の他方の信号線４ｂが半田にて固定してある。
【００４５】
このように、カールコード４内の一方の信号線４ａとコイルスプリング４３の大径スプリング部４４とが、第２電極を介して電気的に接続されており、コイルスプリング４３の小径スプリング部４５とループコード８の導線８ａの一端とが、第５電極５５及び該第５電極５５に電気的に接続した第１電極５１を介して電気的に接続可能になしてあり、ループコード８の導線８ａの他端とカールコード４内の他方の信号線４ｂとが、第３電極を介して電気的に接続してある。
【００４６】
図７はセンサ１、センサアダプタ２０、及び警報体２１の構成例を示すブロック図である。
カールコード４の一方のコードは、センサアダプタ２０内の抵抗器Ｒ１の一方の端子及び比較回路ＣＭ１，ＣＭ２の各反転入力端子に接続され、抵抗器Ｒ１の他方の端子は、センサアダプタ２０のバッテリＢＡＴの負極に接続されている。
カールコード４の他方のコードは、センサアダプタ２０内の抵抗器Ｒ２の一方の端子及びバッテリＢＡＴの正極に接続されている。
【００４７】
ＢＡＴの正極及び負極間には、抵抗器Ｒ２，Ｒ３，Ｒ４が直列に接続され、抵抗器Ｒ２，Ｒ３の共通接続節点は、比較回路ＣＭ１の非反転入力端子に、抵抗器Ｒ３，Ｒ４の共通接続節点は、比較回路ＣＭ２の非反転入力端子に、夫々接続されている。
比較回路ＣＭ１，ＣＭ２は、ウインドコンパレータを構成しており、比較回路ＣＭ１，ＣＭ２の各反転入力端子の入力電圧が、抵抗器Ｒ３，Ｒ４の共通接続節点電圧及び抵抗器Ｒ２，Ｒ３の共通接続節点電圧間を外れた場合は、同一極性の信号を出力し、各反転入力端子の入力電圧が、抵抗器Ｒ３，Ｒ４の共通接続節点電圧及び抵抗器Ｒ２，Ｒ３の共通接続節点電圧間にある場合は、互いに異なる極性の信号を出力する。
【００４８】
比較回路ＣＭ１，ＣＭ２の各出力信号は、排他的論理和回路ＥＸＯＲの夫々異なる入力端子に与えられ、排他的論理和回路ＥＸＯＲの出力信号は、インバータＩＮＶにより反転された後、警報体２１へ与えられる。
また、バッテリＢＡＴの負極は、共通電位線により警報体２１に接続されている。
【００４９】
このような構成のセンサ１及びセンサアダプタ２０では、図５に示した如くセンサ１のヘッド３を対象物Ｔに当接させて設置している場合、プッシュスイッチ４２が閉路しており、そのときの比較回路ＣＭ１，ＣＭ２の各反転入力端子の入力電圧は、抵抗器５０と抵抗器Ｒ１との分圧であり、抵抗器Ｒ３，Ｒ４の共通接続節点電圧及び抵抗器Ｒ２，Ｒ３の共通接続節点電圧間にある。
従って、比較回路ＣＭ１は、正極信号を出力し、比較回路ＣＭ２は、負極信号を出力するので、排他的論理和回路ＥＸＯＲは、ハイレベル信号を出力し、インバータＩＮＶの出力はローレベル（０Ｖ）となる。
【００５０】
また、センサ１のヘッド３が対象物Ｔから引き剥され、コイルスプリング４３の小径スプリング部４５が第５電極５５から離隔した場合（プッシュスイッチ４２開路）、カールコード４が切断された場合、又はループコード８が切断された場合は、比較回路ＣＭ１，ＣＭ２の各反転入力端子の入力電圧は０Ｖとなり、抵抗器Ｒ３，Ｒ４の共通接続節点電圧及び抵抗器Ｒ２，Ｒ３の共通接続節点電圧間より低電圧側に外れる。
従って、比較回路ＣＭ１及び比較回路ＣＭ２は、共に正極信号を出力し、排他的論理和回路ＥＸＯＲは、ローレベル信号を出力し、インバータＩＮＶの出力はハイレベルとなる。
【００５１】
更に、カールコード４の被覆を剥して途中で短絡させた場合、又は、ヘッド３内のレバー３６がガード電極３５に接触した場合（レバースイッチ４１閉路）は、比較回路ＣＭ１，ＣＭ２の各反転入力端子の入力電圧は、バッテリＢＡＴの正極電圧となり、抵抗器Ｒ３，Ｒ４の共通接続節点電圧及び抵抗器Ｒ２，Ｒ３の共通接続節点電圧間より高電圧側に外れる。
そのため、比較回路ＣＭ１及び比較回路ＣＭ２は、共に負極信号を出力し、排他的論理和回路ＥＸＯＲは、ローレベル信号を出力し、インバータＩＮＶの出力はハイレベルとなる。
【００５２】
従って、センサ１のヘッド３が対象物Ｔから引き剥され、コイルスプリング４３の小径スプリング部４５が第５電極５５から離隔した場合（プッシュスイッチ４２開路）、カールコード４が切断された場合、又はループコード８が切断された場合とカールコード４の被覆を剥して途中で短絡させた場合、又は、ヘッド３内のレバー３６がガード電極３５に接触した場合（レバースイッチ４１閉路）とはハイレベルの同一信号を警報体２１に与える。
警報体２１では、ハイレベル又はローレベルの信号を受信し、図に示していない信号処理部にて受信した信号がハイレベルの信号であると認識した場合に警報を発する。
【００５３】
図８は、本発明に係る盗難防止装置を対象物に取付ける方法を説明する説明図である。なお、図中、図１に示した部分に対応する部分には同じ番号を付している。商品棚の棚部に例えばパーソナルコンピュータのような対象物Ｔが載置してあり、該対象物Ｔの閉じた領域を囲む部分に掛け回したループコード８内をくぐらせたヘッド３を、該ヘッド３が内蔵するレバースイッチ４１及びプッシュスイッチ４２のレバー３６を対象物Ｔに当接させて貼着固定する。また、商品棚６１背面の網部６２に２本のリードコード６ａ，６ａを掛け回し、両リードコード６ａ，６ａの先端に夫々設けてある２つロックピンアセンブリ７ａ，７ａをセンサアダプタ２０の差込み筒部２７ａ，２７ａに夫々挿入してロックする。更に、センサアダプタ２０の側面から延設されているリードコード６ｂ，６ｂの先端に設けられたロックピンアセンブリ７ｂ，７ｂを警報体２１の差込み筒部２７ｂ，２７ｂに挿入してロックする。
【００５４】
このように、対象物Ｔは盗難防止装置によって、商品棚６０の背面網部６２に係止されているため、客は、対象物Ｔを回転させ又は持ち上げて吟味することができる。一方、対象物Ｔを盗難すべく、盗難防止装置のヘッド３を対象物Ｔから取り外した場合、又は、ループコード８、カールコード４、若しくはリードコード６ａ，６ａを切断した場合、盗難防止装置本体２の警報体２１は警報を発する。
【００５５】
また、図９に示した如く、ヘッド３を対象物Ｔから引きはがすべく、薄刃６０をヘッド３と対象物Ｔとの当接面に挿入した場合、薄刃６０の先端でレバー３６の当接部３８を押すことになり、その結果、レバー３６とガード電極３５とが接触し、盗難防止装置本体２の警報体２１は警報を発する。
【００５６】
ところで、盗難防止装置のヘッド３は、対象物Ｔの閉じた領域を囲む部分に掛け回したループコード８内をくぐらせてあるため、プッシュスイッチ４２を作動させることなく、ヘッド３を対象物Ｔから取り外し得た場合であっても、その状態を維持して、ループコード８からヘッド３を抜き出さなければならない。そのような操作を実現するのは実質的に不可能であり、従って盗難防止の信頼性が高い。
【００５７】
一方、リードコード６ａ，６ｂの先端に夫々設けてあるロックピンアセンブリ７ａ，７ｂは盗難防止装置本体２に設けてある差込み筒部２７ａ，２７ｂに着脱自在に嵌着してあるため、前述した如く、リードコード６ａ，６ａを商品棚６１の適宜部分に容易に掛け回すことができる。これによって、盗難防止装置本体２を商品棚６１に固定する手間を省くことができる。
【００５８】
本実施の形態では、盗難防止装置本体２は、センサアダプタ２０と警報体２１とから構成さているが、センサアダプタ２０と警報体２１とが一体型であるものであってもよい。
尚、特許請求の範囲の項に図面との対照を便利にする為に符号を記すが、該記入により本発明は添付図面の構造に限定されるものではない。
【００５９】
【発明の効果】
以上、詳述したように、第１発明及び第４発明による場合は、筐体の開口部から突出するように付勢する操作部を設けてなる第１のスイッチに加え、操作部と開口部の周囲に設けた案内部とから構成される第２のスイッチを備え、前記第１又は第２のスイッチの導通状態に基づき警報を発するようになしてあるため、例えば粘着テープにより盗難を防止すべき対象物に前記筐体を当接させて設置した後、筐体を対象物から引きはがした場合、第１のスイッチが導通状態になって警報を発し、また、筐体と対象物との間に薄刃を差込んで前記操作部に押圧力を加えた場合、第２のスイッチが導通状態になり、警報を発して、盗難防止の効果を高めることができる。
また、筐体と警報体との導通路に第２のスイッチと並列に接続された抵抗器を設けているため、操作部と案内部とが接触して第２のスイッチが導通を持った場合、前記抵抗器を介さない導通路が確保され、警報体に設けられた連結部の入力電圧値は高くなり、電圧値に応じて警報を発することによって、盗難防止の効果を高めることができる。また、筐体と警報体との間に介在する導線を短絡させた場合も、前記抵抗器を介さない導通路が確保されるため、警報体に設けられた連結部の入力電圧値は高くなり、電圧値に応じて警報を発することによって、盗難防止の効果を高めることができる。
【００６０】
第２発明及び第５発明による場合は、操作部と案内部とが導電性を有するため、例えば粘着テープにより盗難を防止すべき対象物に前記筐体を当接させて設置している場合、筐体と対象物との間に薄刃を差込んだ際、操作部と案内部とが接触することによって第２のスイッチが導通状態になり、警報を発する。その結果、盗難防止の効果を高めることができる。
【００６２】
第３発明及び第６発明による場合は、前記抵抗器の両端電圧の有無を検出する手段を更に備え、該手段が前記両端電圧の無を検出することにより、第１、第２のスイッチの導通状態を伝える導体の短絡を検出するようにしてあるため、前記導体が短絡した場合、前記抵抗器を介さない導通路が確保され、警報体に設けられた連結部の入力電圧値は高くなり、電圧値に応じて警報を発することによって、盗難防止の効果を高めることができる。また、筐体と警報体との間に介在する導線を短絡させた場合も、前記抵抗器を介さない導通路が確保されるため、警報体に設けられた連結部の入力電圧値は高くなり、電圧値に応じて警報を発することによって、盗難防止の効果を高めることができる等、本発明は優れた効果を奏する。
【図面の簡単な説明】
【図１】本発明に係る盗難防止装置を示す斜視図である。
【図２】図１に示した盗難防止装置本体の斜視図である。
【図３】図１に示したセンサの斜視図である。
【図４】図１に示したヘッドの側断面図である。
【図５】図１に示したヘッドの側断面図である。
【図６】カールコード及びループコードのプリント基板への接続状態を説明する説明図である。
【図７】センサ、センサアダプタ、及び警報体の構成例を示すブロック図である。
【図８】本発明に係る盗難防止装置を対象物に取付ける方法を説明する説明図である。
【図９】図１に示したヘッドの側断面図である。
【図１０】従来例による盗難防止装置を示す斜視図である。
【図１１】従来例による盗難防止装置の使用状態を説明する説明図である。
【符号の説明】
１    センサ
２    盗難防止装置本体
３    ヘッド
４    カールコード
５    固定具
６ａ  リードコード
６ｂ  リードコード
７ａ  ロックピンアセンブリ
７ｂ  ロックピンアセンブリ
８    ループコード
２０  センサアダプタ
２１  警報体
【図１】
0004598295.tif 000002
【図２】
0004598295.tif 000003
【図３】
0004598295.tif 000004
【図４】
0004598295.tif 000005
【図５】
0004598295.tif 000006
【図６】
0004598295.tif 000007
【図７】
0004598295.tif 000008
【図８】
0004598295.tif 000009
【図９】
0004598295.tif 000010
【図１０】
0004598295.tif 000011
【図１１】
0004598295.tif 000012